(57)【要約】【課題】  少ない部品点数により容易に接続できる電気接続箱を提供する。【解決手段】  第１のリレーボックス２０と第２のリレーボックス３０とを組み付けると、第１のリレーボックス２０に立設され電源に接続可能な第１の接続部２２と、第２のリレーボックス３０に設けられ第１の接続部２２に対向する給電部３３とが電気的に接続される。これにより、第１の接続部２２から給電部３３に電流が流れて、第２のリレーボックス３０に電力が供給されるので、従来のような接続用のボルト・ナットを設ける必要がなくなり部品点数を減少できる。【選択図】  図１
2005168253.tif 000002
【特許請求の範囲】
【請求項１】
種々の電気部品を内装する第１のリレーボックスおよび第２のリレーボックスを有し、前記第１のリレーボックスから前記第２のリレーボックスに電力を供給する電気接続箱であって、
前記第１のリレーボックスに、電源に接続される第１の接続部を立設し、前記第１のリレーボックスと前記第２のリレーボックスとを組付けたときに前記第１の接続部に対向して電気的に接続される給電部を前記第２のリレーボックスに設けたことを特徴とする電気接続箱。
【請求項２】
前記第１の接続部がボルトであることを特徴とする請求項１に記載した電気接続箱。
【請求項３】
前記第１のリレーボックスまたは前記第２のリレーボックスに、前記給電部とは別に前記給電部へ電力を供給するワイヤハーネスが接続される第２の接続部を設けたことを特徴とする請求項１または請求項２に記載した電気接続箱。
【発明の詳細な説明】
【技術分野】
【０００１】
本発明は電気接続箱に係り、例えば自動車のワイヤハーネスの相互接続等に用いることのできる電気接続箱に関する。
【背景技術】
【０００２】
従来より、図４に示すような電気接続箱が知られている（例えば特許文献１参照）。
図４に示すように、電流負荷検出装置１０１を上下方向に貫通した通電板１０２ａと、横から配設されている通電板１０２ｂとを、リレーボックス１００において接続している。すなわち、リレーボックス１００に通電板１０２ａ、１０２ｂを挿入し、通電板１０２ａ、１０２ｂに設けられている貫通穴１０６にボルト１０５を通して、リレーボックス１００のナット収容部１０３に収容されているナット１０４に対してボルト１０５を締めることにより固定している。
【特許文献１】実開平７−７０４４号公報（図１）
【発明の開示】
【発明が解決しようとする課題】
【０００３】
ところで、図４に示した電気接続箱においては、通電板１０２ａ、１０２ｂを固定するためのナット１０４を作業者が手で持ってボルト１０５を締め付けるのが困難であるため、リレーボックス１００にナット１０４を保持するナット収容部１０３が設けられている。さらに、通電板１０２ａ、１０２ｂを固定するためにボルト１０５が用いられているため、部品点数が増加するという不都合がある。
【０００４】
本発明は、前述した問題点に鑑みてなされたものであり、その目的は、少ない部品点数により容易に接続できる電気接続箱を提供することにある。
【課題を解決するための手段】
【０００５】
１）前述した目的を達成するために、本発明の電気接続箱は、種々の電気部品を内装する第１のリレーボックスおよび第２のリレーボックスを有し、前記第１のリレーボックスから前記第２のリレーボックスに電力を供給する電気接続箱であって、前記第１のリレーボックスに、電源に接続される第１の接続部を立設し、前記第１のリレーボックスと前記第２のリレーボックスとを組付けたときに前記第１の接続部に対向して電気的に接続される給電部を前記第２のリレーボックスに設けたことを特徴としている。
【０００６】
このように構成された電気接続箱においては、第１のリレーボックスと第２のリレーボックスとを組み付けると、第１のリレーボックスに立設され電源に接続される第１の接続部と、第２のリレーボックスに設けられ第１の接続部に対向する給電部とが電気的に接続される。これにより、第１の接続部から給電部に電流が流れて、第２のリレーボックスに電力が供給されるので、従来のような接続用のボルト・ナットを別途用いる必要がなくなり部品点数を減少できる。
【０００７】
２）また、本発明の電気接続箱は、前記第１の接続部がボルトであることを特徴としている。
【０００８】
このように構成された電気接続箱においては、第１のリレーボックスと第２のリレーボックスとを組付けてボルトを締めることにより、両リレーボックスを組み付けると同時に第１のリレーボックスから第２のリレーボックスへ電力の供給のための接続を行うことができ、接続工程を削減できる。
【０００９】
３）また、本発明の電気接続箱は、前記第１のリレーボックスまたは前記第２のリレーボックスに、前記給電部とは別に前記給電部へ電力を供給するワイヤハーネスが接続される第２の接続部を設けたことを特徴としている。
【００１０】
このように構成された電気接続箱においては、第２の接続部に電力供給用のワイヤハーネスを接続することにより第１のリレーボックスおよび第２のリレーボックスに電力の供給ができるので、車両への取り付けの前に第１のリレーボックスと第２のリレーボックスを組み付けておくことができる。
【発明の効果】
【００１１】
本発明の電気接続箱によれば、従来のような電力供給用の接続をするためのボルト・ナットを別途用いる必要がなくなり部品点数を減少させることができる。
【発明を実施するための最良の形態】
【００１２】
以下、本発明に係る実施形態を図面に基づいて詳細に説明する。図１は本発明の電気接続箱の分解斜視図、図２は本発明に係る第１のリレーボックスと第２のリレーボックスの分解斜視図、図３（Ａ）〜（Ｃ）は第１のリレーボックスと第２のリレーボックスを組付けた状態を示す斜視図である。
【００１３】
図１に示すように、本発明の実施形態にかかる電気接続箱１０では、中央に第１のリレーボックスであるＥＮＧリレーボックス２０と、このＥＮＧリレーボックス２０の横に組み付けられる第２のリレーボックスであるＣＯＮＴリレーボックス３０とを有している。ＥＮＧリレーボックス２０およびＣＯＮＴリレーボックス３０には、ヒューズやリレー等の電気部品２１、３１が、系統・グレード・サブ形態等で分割されて収納されており、図示はしないがバスバーやワイヤハーネスによって適宜接続されている。
【００１４】
ＥＮＧリレーボックス２０およびＣＯＮＴリレーボックス３０の下側にはロアーカバー１１が取り付けられており、ＣＯＮＴリレーボックス３０およびＣＯＮＴリレーボックス３０の上側にはアッパーカバー１２が取り付けられている。ロアーカバー１１の上端には係止部11ａが複数箇所設けられており、ＥＮＧリレーボックス２０およびＣＯＮＴリレーボックス３０の下端部に設けられている係止突起２０ａにより係止されるようになっている。また、ＣＯＮＴリレーボックス３０の角部にはサイドカバー１３が取り付けられている。これにより、ＥＮＧリレーボックス２０内部およびＣＯＮＴリレーボックス３０の内部に水分等が侵入しないように密に組み合わせて、電気部品等を保護している。
【００１５】
図２に示すように、ＥＮＧリレーボックス２０の隅部には、電源である図示しないバッテリに接続される第１の接続部としてのボルト２２が立設されており、ボルト２２は図示省略のバッテリに接続可能となっていて、電源の供給を受けることができるようになっている。ＥＮＧリレーボックス２０の側面には、ＣＯＮＴリレーボックス３０と一体的に組み合わせるためのレールロック２３ａ、２３ｂが複数箇所において上下方向に設けられている。
【００１６】
ＣＯＮＴリレーボックス３０にはブラケット３２が水平方向（図２において左方向）に突出して設けられており、このブラケット３２にはＥＮＧリレーボックス２０のボルト２２が貫通できる貫通穴３２ａが設けられている。また、ブラケット３２の上面には、ＥＮＧリレーボックス２０とＣＯＮＴリレーボックス３０とを組付けたときに、ＥＮＧリレーボックス２０のボルト２２に対向する給電部３３が設けられている。給電部３３は、電気部品３１に接続されて電力を供給するための図示省略のバスバーの先端部に設けられており、ブラケット３２の貫通穴３２ａに対応する位置にボルト２２が貫通できる大きさの貫通穴３３ａが設けられている。また、ＣＯＮＴリレーボックス３０の側面には、ＥＮＧリレーボックス３０のレールロック２３ａ、２３ｂに対応する位置にレールロック３５ａ、３５ｂが上下方向に設けられている。
【００１７】
従って、ＥＮＧリレーボックス２０の上方からＣＯＮＴリレーボックス３０を加工させて、ＥＮＧリレーボックス２０のレールロック２３ａ、２３ｂとＣＯＮＴリレーボックス３０のレールロック３５ａ、３５ｂとを相互に嵌合させる。同時に、ボルト２２をブラケット３２の貫通穴に挿通して、ＣＯＮＴリレーボックス３０とＥＮＧリレーボックス２０とを組み合わせて、工具１４を用いてナット３４を締め付ける。これにより、ＥＮＧリレーボックス２０とＣＯＮＴリレーボックス３０とが一体化すると同時に、ＣＯＮＴリレーボックス３０の給電部３３はＥＮＧリレーボックス２０のボルト２２およびナット３４を介して電気的に接続されるので、ＣＯＮＴリレーボックス２０の各電気部品３１はバッテリから電力の供給を受けることになる。
【００１８】
また、ＥＮＧリレーボックス２０とＣＯＮＴリレーボックス３０との間には、第２の接続部である電力供給用のコネクタ４０を取り付けることができるようになっている。従って、このコネクタ４０に電力供給用のワイヤハーネスＷ／Ｈを接続することにより、ボルト２２を介することなく給電部３３へ電力を供給できるようになっている。なお、電力供給用のコネクタ４０は、電気接続箱１０の内部に配置することにより、安価な非防水型のコネクタを用いることができる。
【００１９】
以上、前述した電気接続箱１０によれば、ＥＮＧリレーボックス２０とＣＯＮＴリレーボックス３０を一体的に組み合わせてボルト２２で固定すると、同時に、バッテリに接続されるボルト２２と給電部３３とが電気的に接続されるので、従来のようにリレーボックスにナット収容部を設ける必要がなくなり、部品点数を減少させることができる。また、接続作業を低減できる。
【００２０】
なお、本発明の電気接続箱は、前述した実施形態に限定されるものでなく、適宜な変形，改良等が可能である。
例えば、前述した実施形態において、ＣＯＮＴリレーボックス３０のブラケット３２の上面に給電部３３を設けて、ナット３４を介してボルト２２と電気的に接続する場合について説明したが、この他、ボルト２２の基端部に電力供給用のバスバーの端部を露出させ、ブラケット３２の下面に給電部３３を設けることにより、直接バスバー同士が接触するようにすることもできる。
【００２１】
また、前述した実施形態においては、ＥＮＧリレーボックス２０の横にＣＯＮＴリレーボックス３０を組み合わせる場合について説明したが、これに限らない。例えば、両リレーボックス２０、３０を上下に接続する場合にも適用できる。
【図面の簡単な説明】
【００２２】
【図１】本発明の実施形態に係る電気接続箱を示す分解斜視図である。
【図２】ＥＮＧリレーボックスとＣＯＮＴリレーボックスとの組み合わせの状態を示す斜視図である。
【図３】ＥＮＧリレーボックスとＣＯＮＴリレーボックスとを組み合わせた状態を示す斜視図である。
【図４】従来の電気接続箱を示す断面図である。
【符号の説明】
【００２３】
１０  電気接続箱
２０  ＥＮＧリレーボックス（第１のリレーボックス）
２１  電気部品
２２  ボルト（第１の接続部）
３０  ＣＯＮＴリレーボックス（第２のリレーボックス）
３１  電気部品
３３  給電部
４０  電力供給用コネクタ（第２の接続部）
Ｗ／Ｈ  ワイヤハーネス
【図１】
2005168253.tif 000003
【図２】
2005168253.tif 000004
【図３】
2005168253.tif 000005
【図４】
2005168253.tif 000006